(57)【特許請求の範囲】
【請求項１】
分岐ブレーカが分岐バーによって接続される母線バーの上面に保護カバーを取り付けるための保護カバー支持部材であって、母線バーへの取付部と保護カバーの支持部とが、側面に分岐バーの通過部を備えた連結部により連結一体化されており、かつ前記分岐バーの通過部は側面から分岐バーを通過させるものであることを特徴とする保護カバー支持部材。
【請求項２】
分岐バーの通過部は、分岐バーを母線に固定するためのねじの頭部を露出させる開口部を備えたものであることを特徴とする請求項１記載の保護カバー支持部材。
【請求項３】
分岐バーの通過部は、分岐バーの上部を跨ぐ形状であることを特徴とする請求項１記載の保護カバー支持部材。
【請求項４】
母線バーへの取付部が、母線バーによって規制される回り止めを備えたものであることを特徴とする請求項１記載の保護カバー支持部材。
【発明の詳細な説明】
【技術分野】
【０００１】
本発明は、分岐バーが接続される分電盤の母線バーに保護カバーを取り付けるための保護カバー支持部材に関するものである。
【背景技術】
【０００２】
一般的な分電盤では、母線バーへの分岐ブレーカの接続は、プラグイン方式と分岐バー方式とが用いられている。分岐バー方式の分電盤では母線バーを主幹ブレーカにリードバーを介して接続し、この母線バーに多数の分岐ブレーカを接続した構造となっている。
【０００３】
分電盤には安全のために内扉が設けられており、ブレーカのハンドル部分のみを内扉から露出させ、ハンドル操作が行えるようになっている。しかし内扉を開いた状態においても母線バー等の充電部が露出しないように、母線バーの上面に保護カバーを取付け、感電事故を防止している（特許文献１）。なお本明細書においては、分電盤を水平に置いた状態において上下を表わすものとし、扉側の面を上面という。
【０００４】
従来は分電盤の機器取付板に柱状または平板状の支持金具を取付け、この支持金具上に保護カバーを取付けることが普通であった。しかし、内部機器の高さに合わせて支持金具の高さを変える必要があり、支持金具の高さが高くなると安定性が悪くなるという問題があった。また、レール上に内部機器を取付けるレール構造の分電盤においては、支持金具を取り付けるための機器取付板を追加する必要があり、分電盤施工後の後付けが困難であるという問題があった。
【０００５】
また、プラグイン方式の分電盤では母線バーにプラグが差し込まれるので、中央の母線の上部に保護カバーの取付具を設けることができたが、分岐バー方式の分電盤では分岐バーが母線の幅方向に延びており、また母線バーには分岐バー用の接続孔が形成されているので、保護カバーの取付具を母線バーの両端にしか設けることができない。このため母線バーの両端に保護カバーの取付具のためのスペースが必要となり、分電盤の小型化を阻害するという問題があった。
【先行技術文献】
【特許文献】
【０００６】
【特許文献１】特開２００５−５１９０９号公報
【発明の概要】
【発明が解決しようとする課題】
【０００７】
従って本発明の主な目的は上記した従来の問題を解決し、余分のスペースを必要とせず、母線バーの保護カバーを安定性よく支持することができる保護カバー支持部材を提供することである。また本発明の他の目的は、分電盤施工後の後付けも可能な保護カバー支持部材を提供することである。
【課題を解決するための手段】
【０００８】
上記の課題を解決するためになされた本発明は、分岐ブレーカが分岐バーによって接続される母線バーの上面に保護カバーを取り付けるための保護カバー支持部材であって、母線バーへの取付部と保護カバーの支持部とが、側面に分岐バーの通過部を備えた連結部により連結一体化されており、かつ前記分岐バーの通過部は側面から分岐バーを通過させるものであることを特徴とするものである。
【０００９】
なお請求項２のように、分岐バーの通過部は、通過する分岐バーを母線に固定するためのねじの頭部を露出させる開口部を備えたものであることが好ましい。また請求項３のように、分岐バーの通過部は、分岐バーの上部を跨ぐ形状とすることができ、さらに請求項４のように、母線バーへの取付部が、母線バーによって規制される回り止めを備えたものとすることができる。
【発明の効果】
【００１０】
本発明によれば、分岐バーと分岐バーとの間のスペースを利用して保護カバー支持部材を取付けることができるので、母線バーの両端に保護カバーの取付具のためのスペースを設ける必要がなくなり、分電盤の小型化を図ることができる。
【００１１】
請求項２の発明によれば、分岐バーの通過部にねじの頭部を露出させる開口部を設けたので、ねじの増し締めを容易に行なうことができる。
【００１２】
請求項３の発明によれば、保護カバー支持部材を後付けすることができる。
【００１３】
請求項４の発明によれば、母線バーへの取付部に母線バーによって規制される回り止めを設けたので、ねじによる取付け作業を容易に行うことができる。
【図面の簡単な説明】
【００１４】
【図１】分電盤の内部構造を示す斜視図である。
【図２】本発明の保護カバー支持部材を取付けた状態を示す斜視図である。
【図３】第１の実施形態の保護カバー支持部材を示す斜視図である。
【図４】保護カバー支持部材を取付けた状態を示す平面図である。
【図５】保護カバーの取付を示す斜視図である。
【図６】保護カバー支持部材を取付けた状態を示す斜視図である。
【図７】第２の実施形態の保護カバー支持部材を示す斜視図である。
【図８】第２の実施形態の保護カバー支持部材を取付けた状態を示す斜視図である。
【図９】第３の実施形態の保護カバー支持部材を示す斜視図である。
【図１０】第３の実施形態の保護カバー支持部材を取付けた状態を示す斜視図である。
【発明を実施するための形態】
【００１５】
以下に本発明の好ましい実施形態を示す。
図１は分電盤の内部構造を示す斜視図であり、１は主幹ブレーカ、２は主幹ブレーカ１の二次側端子にリードバー３を介して接続された３本の母線バーである。これらの母線バー２の両側には多数の分岐ブレーカ４が配置されている。図１は分電盤を壁面に取付けた状態で図示されているが、図２以下は全て分電盤を水平に置いた状態で図示されている。
【００１６】
図２に示すように、この実施形態では母線バー２は両側の低い位置に２本、中央の高い位置に１本が配置されている。各母線バー２には所定間隔で分岐バー５をねじ止めするための接続孔が形成されており、分岐ブレーカ４は必要な２本の母線バー２と分岐バー５と接続されている。この実施形態では接続孔は２５ｍｍピッチで形成されており、隣接する分岐バー５、５の間隔は数ミリ程度しかなく、この部分において母線バー２が露出している。
【００１７】
本発明の保護カバー支持部材１０は、中央の母線バー２と分岐バー５の部分に取付けられる。図３は本発明の保護カバー支持部材１０の拡大斜視図であり、１１は上部に形成された上面から見てコの字状の保護カバーの支持部、１２は下部に形成された母線バー２への取付部である。これらの母線バーへの取付部１２と保護カバーの支持部１１とは連結部１３により連結一体化されているのであるが、この連結部１３の側面には分岐バーの通過部１４が形成されている。
【００１８】
具体的には、母線バー２への取付部１２の両端から各々上方辺部１５、１５が立上り、その上端は保護カバーの支持部１１につながっている。保護カバーの支持部１１の下部の両側には母線バー２に当接する板状の脚部１６、１６が垂設されており、これらの脚部１６、１６に挟まれた支持部１１の下側空間が、分岐バーの通過部１４となっている。この分岐バーの通過部１４は、分岐バー５の上部を跨ぐ形状であり、側面から分岐バー５を通過させる構造である。脚部１６、１６の下端の４か所には、母線バー２の両側面に係合する回り止め部１７が形成されている。回り止め部１７、１７の間隔は、母線バー２の幅よりもわずかに大きくなっている。この回り止め部１７によって、安定性を向上させている。
【００１９】
コの字状の保護カバーの支持部１１の上面は平坦面であり、図５に示すように保護カバー１８を固定するためのねじ孔１９が形成されている。また中央部は、分岐バー５を母線バー２に固定するためのねじの頭部を露出させる開口部２０となっており、ドライバを挿入してねじの増し締めができる構造となっている。ねじの増し締めは、製品出荷時における緩みを設置時に締める場合や、定期点検時などに行われる。
【００２０】
このように構成された本発明の保護カバー支持部材１０は、図２に示すように母線バー２の端部付近において中央の高位の母線バー２に取付けられるもので、保護カバー支持部材１０の下部の取付部１２を母線バー２の接続孔にねじで固定する。この中央の母線バー２から左右に分岐バー５が分岐ブレーカ４に向って延びているが、側面から分岐バーの通過部１４を通過させることができるので、保護カバー支持部材１０の取付に支障を生じない。図５と図６に示すように、保護カバー支持部材１０の保護カバーの支持部１１に保護カバー１８がねじで固定される。
【００２１】
このように、本発明の保護カバー支持部材１０は分岐バー５が接続された母線バー２にも取付けることができるので、従来のように専用のスペースを必要とせず、また保護カバー１８を安定性よく支持することができる。さらにまた、分電盤施工後の後付けも可能である。
【００２２】
図７と図８は本発明の第２の実施形態を示す図である。この第２の実施形態は保護カバーの支持部１１に一対のフック状の弾性係止部２１を形成したものである。この場合には保護カバー１８にこれらの弾性係止部２１が挿入される孔を形成しておけばよい。
【００２３】
図９と図１０は本発明の第３の実施形態を示す図である。前記した第１と第２の実施形態はともに分岐バーの通過部１４は下面が開放された形状であり、分岐バー５を上方から被せるようにして母線バー２に取付ける構造であった。しかし図９と図１０に示す第３の実施形態では、母線バーへの取付部１２と保護カバーの支持部１１の連結部１３は下端位置にあり、その上側が分岐バーの通過部１４となっている。
【００２４】
この構造の保護カバー支持部材１０は、連結部１３を分岐バー５の下側に潜らせる必要がある。このため後付けを行なう場合には、分岐バー５を１本取外す必要があるが、その他の作用効果は他の実施形態と同様である。
【符号の説明】
【００２５】
１  主幹ブレーカ
２  母線バー
３  リードバー
４  分岐ブレーカ
５  分岐バー
１０  保護カバー支持部材
１１  保護カバーの支持部
１２  母線バーへの取付部
１３  連結部
１４  分岐バーの通過部
１５  上方辺部
１６  脚部
１７  回り止め部
１８  保護カバー
１９  ねじ孔
２０  開口部
２１  弾性係止部
【図１】
0005942186.tif 000002
【図２】
0005942186.tif 000003
【図３】
0005942186.tif 000004
【図４】
0005942186.tif 000005
【図５】
0005942186.tif 000006
【図６】
0005942186.tif 000007
【図７】
0005942186.tif 000008
【図８】
0005942186.tif 000009
【図９】
0005942186.tif 000010
【図１０】
0005942186.tif 000011